(57)【要約】【課題】  スピーカを引き出して耳に差し込む必要がなく、構造が簡単で、装置全体の小型化が図れる。【解決手段】  腕に取り付けられる腕時計ケース１の外周部に集音部４を設けると共に、腕時計ケース１の外周部における集音部４の対角線上に位置する個所に、骨伝導により音声振動を伝達する骨伝導伝達部５を、その骨伝導面５ａを腕時計ケース１の上面側に向けて設けた。従って、腕時計ケース１を腕に取り付けて通話するときに、腕時計と同様に腕を曲げて、骨伝導伝達部５の骨伝導面５ａに使用者の顎を接触させることができるので、通話相手の音声を骨伝導伝達部５によって音声振動として顎の骨を介して耳に伝えることができると共に、使用者の音声を良好に集音部４で集音することができる。このため、スピーカを引き出して耳に差し込む必要がなく、装置全体の小型化を図ることができるほか、通話時における腕の状態が自然な形で良好に通話することができる。【選択図】        図１
2005142729.tif 000002
【特許請求の範囲】
【請求項１】
腕に装着される本体ケースと、
この本体ケース内に収納され、少なくとも通信機能を有するモジュールと、
前記本体ケースの外周部に集音面を前記本体ケースの表面側に向けて設けられた集音部と、
前記本体ケースの外周部における前記集音部の対角線上に位置する個所に、骨伝導面を前記本体ケースの表面側に向けて設けられた骨伝導により音声振動を伝達する骨伝導伝達部と
を備えたことを特徴する腕時計型通信装置。
【請求項２】
前記骨伝導伝達部は、前記本体ケースを腕に装着して使用者の顔の下側に配置させたときに、前記集音部よりも前記使用者の手前側に位置する個所に設けられていることを特徴する請求項１に記載の腕時計型通信装置。
【請求項３】
前記骨伝導伝達部は、前記本体ケースを腕に装着して使用者の顔の下側に配置させたときに、前記骨伝導面が前記使用者に対し手前下がりに傾斜する傾斜面に形成されていることを特徴する請求項２に記載の腕時計型通信装置。
【請求項４】
前記集音部の前記集音面は、前記骨伝導伝達部の前記骨伝導面と同じ向きで傾斜する傾斜面に形成されていることを特徴する請求項３に記載の腕時計型通信装置。
【請求項５】
本体ケースと、
この本体ケースを腕に装着するためのバンドと、
前記本体ケース内に収納され、少なくとも通信機能を有するモジュールと、
前記本体ケースの外周部に集音面を前記本体ケースの表面側に向けて設けられた集音部と、
前記バンドに骨伝導面を前記バンドの表面側に向けて設けられた骨伝導により音声振動を伝達する骨伝導伝達部と
を備えたことを特徴する腕時計型通信装置。
【請求項６】
前記骨伝導伝達部は、前記本体ケースを腕に装着して使用者の顔の下側に配置させたときに、前記本体ケースよりも手前側に位置する前記バンドに設けられ、
前記集音部は、前記骨伝導伝達部と反対側に位置する前記本体ケースの外周部に設けられていることを特徴する請求項５に記載の腕時計型通信装置。
【発明の詳細な説明】
【技術分野】
【０００１】
この発明は腕時計型通信装置に関する。
【背景技術】
【０００２】
従来、腕時計型通信装置においては、時計バンドによって腕に装着される腕時計ケース内に時計機能と通信機能とを備えたモジュールを設け、この腕時計ケースに接続コードを介してスピーカを引出可能に取り付けると共に、時計バンドにマイクを設けた構造のものがある。この場合、接続コードは、スピーカとモジュールとを電気的に接続すると共に、時計バンド内に設けられたコード収納部に巻取機構によって巻取可能に収納され、腕時計ケースからスピーカを引き出すときに時計バンドのコード収納部内から繰り出されるように構成されている。
【０００３】
このような腕時計型通信装置では、腕時計ケースからスピーカを引き出すと、このスピーカと共に接続コードも引き出されるので、この接続コードによってスピーカをモジュールに電気的に接続した状態で引き出すことができ、この引き出されたスピーカを耳に差し込むことにより、通話相手の音声を聞くことができると共に、使用者の音声をマイクで取り込んで通話相手に伝えることができる。
【０００４】
しかしながら、このような腕時計型通信装置では、通話するときに腕時計ケースからスピーカを引き出して耳に差し込まなければならないため、その作業が面倒であるばかりか、スピーカを腕時計ケースに着脱可能に取り付けためのスピーカ取付構造、およびスピーカとモジュールとを電気的に接続する接続コードを時計バンド内に巻取可能に収納するための巻取機構などが必要となり、このため部品点数が多く、構造も複雑になり、装置全体が大型化するという問題がある。
【特許文献１】特開２０００−３０７６９９号公報
【発明の開示】
【発明が解決しようとする課題】
【０００５】
この発明が解決しようとする問題点は、接続コードに接続されたスピーカを引き出して耳に差し込む構成であるから、部品点数が多く、その構造も複雑で、装置全体が大型化する点にある。
そこで、この発明は、接続コードに接続されたスピーカを引き出して耳に差し込む構成を採用することなく、部品点数が少なく、その構造も簡単で、装置全体を小型化することができる腕装着型通信装置を提供することにある。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図３に示すように、腕（Ａ）に装着される本体ケース（腕時計ケース１）と、この本体ケース内に収納され、少なくとも通信機能を有するモジュール（３）と、前記本体ケースの外周部に集音面（４ａ）を前記本体ケースの表面側に向けて設けられた集音部（４）と、前記本体ケースの外周部における前記集音部の対角線上に位置する個所に、骨伝導面（５ａ）を前記本体ケースの表面側に向けて設けられた骨伝導により音声振動を伝達する骨伝導伝達部（５）とを備えたことを特徴する腕時計型通信装置である。
【０００８】
請求項２に記載の発明は、図１〜図３に示すように、前記骨伝導伝達部（５）が、前記本体ケース（腕時計ケース１）を腕（Ａ）に装着して使用者の顔（Ｂ）の下側に配置させたときに、前記集音部（４）よりも前記使用者の手前側に位置する個所に設けられていることを特徴する請求項１に記載の腕時計型通信装置である。
【０００９】
請求項３に記載の発明は、図１〜図３に示すように、前記骨伝導伝達部（５）が、前記本体ケース（腕時計ケース１）を腕（Ａ）に装着して使用者の顔（Ｂ）の下側に配置させたときに、前記骨伝導面（１５ａ）が前記使用者に対し手前下がりに傾斜する傾斜面に形成されていることを特徴する請求項２に記載の腕時計型通信装置である。
【００１０】
請求項４に記載の発明は、図１〜図３に示すように、前記集音部（４）の前記集音面（４ａ）が、前記骨伝導伝達部（５）の前記骨伝導面（１５ａ）と同じ向きで傾斜する傾斜面に形成されていることを特徴する請求項３に記載の腕時計型通信装置である。
【００１１】
請求項５に記載の発明は、図４および図５に示すように、本体ケース（腕時計ケース１）と、この本体ケースを腕（Ａ）に装着するためのバンド（時計バンド２）と、前記本体ケース内に収納され、少なくとも通信機能を有するモジュール（３）と、前記本体ケースの外周部に集音面（２１ａ）を前記本体ケースの表面側に向けて設けられた集音部（２１）と、前記バンドに骨伝導面（２０ａ）を前記バンドの表面側に向けて設けられた骨伝導により音声振動を伝達する骨伝導伝達部（２０）とを備えたことを特徴する腕時計型通信装置である。
【００１２】
請求項６に記載の発明は、図４および図５に示すように、前記骨伝導伝達部（２０）が、前記本体ケース（腕時計ケース１）を腕（Ａ）に装着して使用者の顔（Ｂ）の下側に配置させたときに、前記本体ケースよりも手前側に位置する前記バンド（時計バンド２）に設けられ、前記集音部（２１）が、前記骨伝導伝達部と反対側に位置する前記本体ケースの外周部に設けられていることを特徴する請求項５に記載の腕時計型通信装置である。
【発明の効果】
【００１３】
請求項１に記載の発明によれば、腕に取り付けられる本体ケースの外周部に集音部を、その集音面を本体ケースの表面側に向けて設けると共に、本体ケースの外周部における集音部の対角線上に位置する個所に、骨伝導により音声振動を伝達する骨伝導伝達部を、その骨伝導面を本体ケースの表面側に向けて設けたので、本体ケースを腕に取り付けて通話するときに、通常の腕時計と同様に腕を曲げることにより、骨伝導伝達部の骨伝導面に使用者の顎を接触させることができる。これにより、通話相手の音声を骨伝導伝達部によって音声振動として顎の骨を介して耳に伝えることができると共に、集音部によって使用者の音声を通話相手に伝えることができるので、良好に通話することができる。
【００１４】
このときには、通話相手の音声を骨伝導伝達部によって音声振動として顎の骨を介して耳に伝えるので、骨伝導伝達部による音声振動の伝達ロスが少なく、通話相手の音声を良好に使用者の耳に伝えることができる。また、通話時には、腕の状態が通常の腕時計を見るときとほぼ同じ状態になるので、自然な形で通話することができ、これによっても良好に通話することができるほか、特に先行文献のように接続コードに接続されたスピーカを引き出して耳に差し込む必要がないので、通話作業が容易にできると共に、部品点数が少なく、構造も簡単で、装置全体の小型化をも図ることができる。
【００１５】
請求項２に記載の発明によれば、本体ケースを腕に装着して使用者の顔の下側に配置させたときに、骨伝導伝達部が集音部よりも使用者の手前側に位置する個所に設けられていることにより、通常の腕時計を見るときと同様、自然な形で腕を曲げるだけで、骨伝導伝達部の骨伝導面を使用者の顎の下側に対応させることができ、これにより通話するときに使用者の顎を骨伝導伝達部に容易に接触させることができると共に、使用者の口元を集音部に近づけることができるので、高感度の集音部を用いなくても、使用者の音声を良好に集音部で集音することができ、これにより使い勝手の良いものを得ることができる。
【００１６】
請求項３に記載の発明によれば、本体ケースを腕に装着して使用者の顔の下側に配置させたときに、骨伝導伝達部の骨伝導面が使用者に対し手前下がりに傾斜する傾斜面に形成されていることにより、通常の腕時計を見るときと同様、自然な形で腕を曲げて骨伝導伝達部の骨伝導面に使用者の顎を接触させるときに、骨伝導伝達部の骨伝導面に使用者の顎を接触させ易くすることができ、このため通話時における腕の状態が自然な形で、使用者の顎を骨伝導伝達部の骨伝導面に確実に接触させることができるので、より一層、良好に通話することができる。
【００１７】
請求項４に記載の発明によれば、集音部の集音面が骨伝導伝達部の骨伝導面と同じ向きで傾斜する傾斜面に形成されていることにより、骨伝導伝達部の骨伝導面に使用者の顎を接触させたときに、その使用者の口元を集音部の集音面に向けることができ、このため、より一層、使用者の音声を集音部で確実に集音することができ、これによっても通話時における腕の状態が自然な形で通話することができるので、より一層、使い勝手の良いものを得ることができる。
【００１８】
請求項５に記載の発明によれば、バンドによって腕に取り付けられる本体ケースの外周部に集音部を、その集音面を本体ケースの表面側に向けて設けると共に、バンドに骨伝導伝達部を、その骨伝導面をバンドの表面側に向けて設けたので、骨伝導伝達部の骨伝導面に使用者の顎を接触させることにより、請求項１に記載の発明と同様、通話相手の音声を骨伝導伝達部によって音声振動として顎の骨を介して耳に伝えることができると共に、集音部によって使用者の音声を通話相手に伝えることができ、これにより良好に通話することができる。
【００１９】
この場合にも、請求項１に記載の発明と同様、接続コードに接続されたスピーカを引き出して耳に差し込む必要がないので、通話作業が容易にできると共に、部品点数が少なく、構造も簡単で、装置全体の小型化をも図ることができるほか、通話相手の音声を骨伝導伝達部によって音声振動として顎の骨を介して耳に伝えるので、骨伝導伝達部による音声振動の伝達ロスが少なく、通話相手の音声を良好に使用者の耳に伝えることができる。また、通話時には、腕の状態が通常の腕時計を見るときとほぼ同じ状態になるので、自然な形で通話することができる。特に、集音部を本体ケースに設け、骨伝導伝達部をバンドに設けることにより、骨伝導伝達部を本体ケースから分離させて集音部から離すことができるので、集音部に対する骨伝導伝達部の振動ノイズを軽減することができる。
【００２０】
請求項６に記載の発明によれば、本体ケースを腕に装着して使用者の顔の下側に配置させたときに、骨伝導伝達部が本体ケースよりも手前側に位置する個所に設けられていることにより、通話するときに骨伝導伝達部の骨伝導面に使用者の顎を接触させ易くすることができると共に、集音部が骨伝導伝達部と反対側に位置する本体ケースの外周部に設けられていることにより、使用者の顎を骨伝導伝達部に接触させると、その使用者の口元を集音部の集音面に向けて近づけることができ、このため高感度の集音部を用いなくても、使用者の音声を集音部で確実に集音することができると共に、通話時における腕の状態が自然な形で通話することができる。
【発明を実施するための最良の形態】
【００２１】
（実施形態１）
以下、図１〜図３を参照して、この発明の腕時計型通信装置の実施形態１について説明する。
図１はこの発明の腕時計型通信装置の斜視図、図２はその分解斜視図、図３は図１の腕時計型通信装置の使用状態を示した斜視図である。
この腕時計型通信装置は、図１〜図３に示すように、腕時計ケース１と、この腕時計ケース１を使用者の腕Ａに装着するための時計バンド２と、腕時計ケース１内に収納されるモジュール３と、腕時計ケース１の外周部におけるほぼ１１時側に設けられた集音部４と、腕時計ケース１の外周部におけるほぼ５時側に設けられた骨伝導伝達部５とを備えている。
【００２２】
この場合、腕時計ケース１の上部には、図１および図２に示すように、時計ガラス６が装着されており、この腕時計ケース１の下面には、裏蓋７がビス８によって取り付けられている。また、この腕時計ケース１の側面には、複数の押釦スイッチ９が設けられている。時計バンド２は、腕時計ケース１の外周部における１２時側と６時側とに設けられたバンド取付部１０にそれぞれ取り付けられ、図３に示すように、使用者の腕Ａに腕時計ケース１を着脱可能に装着するように構成されている。
【００２３】
モジュール３は、時計機能と通信機能とを備えたものであり、図２に示すように、ハウジング１１の上部に表示パネル１２が時計ガラス６に対応して配置され、ハウジング１１の下部に釦型電池１３が配置された構成になっている。表示パネル１２は、液晶表示素子やＥＬ表示素子（エレクトロルミネッセンス表示素子）などの平面型の表示素子からなり、時刻情報や電話情報などの各種情報を選択的に表示するように構成されている。
【００２４】
集音部４は、図２に示すように、腕時計ケース１の外周部におけるほぼ１１時に対応する個所に設けられたマイク収納部１４と、このマイク収納部１４内に収納されてモジュール３と電気的に接続されるマイクデバイス１５と、マイク収納部１４の下面を塞ぐ裏蓋７のマイク蓋部７ａとからなっている。マイク収納部１４は、上面が塞がれたほぼ円筒状に形成され、その上面の集音面４ａに集音孔１４ａが設けられている。マイク蓋部７ａは、裏蓋７のほぼ１１時に対応する個所の外周部に外側に向けて突出して設けられている。
【００２５】
これにより、この集音部４は、図１および図２に示すように、マイク収納部１４内にマイクデバイス１５が下側から収納されて、裏蓋７のマイク蓋部７ａでマイク収納部１４の下部が塞がれ、この状態でマイク収納部１４の集音孔１４ａから使用者の音声を取り込み、この取り込んだ音声をマイクデバイス１５で電気信号に変化してモジュール３に音声信号として出力するように構成されている。
【００２６】
骨伝導伝達部５は、図２に示すように、腕時計ケース１の外周部における集音部４の対角線上に位置する個所、つまり腕時計ケース１の外周部におけるほぼ５時に対応する個所に設けられた骨伝導収納部１６と、この骨伝導収納部１６内に収納されてモジュール３と電気的に接続される骨伝導デバイス１７と、骨伝導収納部１６の下面を塞ぐ裏蓋７の骨伝導蓋部７ｂとからなっている。骨伝導収納部１６は、上面が塞がれたほぼ円筒状に形成され、その上面が骨伝導面５ａに形成されている。骨伝導蓋部７ｂは、裏蓋７のほぼ５時に対応する個所の外周部に外側に向けて突出して設けられている。
【００２７】
これにより、この骨伝導伝達部５は、図１および図２に示すように、骨伝導収納部１６内に骨伝導デバイス１７が下側から収納されて、裏蓋７のマイク蓋部７ｂで骨伝導収納部１６の下部が塞がれ、この状態で骨伝導デバイス１７に通話相手からの音声信号がモジュール３から与えられると、その音声信号を骨伝導デバイス１７が音声振動に変換し、この音声振動が骨伝導により伝わるように構成されている。
【００２８】
この場合、骨伝導伝達部５は、図３に示すように、腕時計ケース１を腕Ａに装着して使用者の顔Ｂの下側に配置させたときに、集音部４よりも使用者の手前側に位置し、且つこの状態で、図１および図２に示すように、骨伝導収納部１６の上面に位置する骨伝導面５ａが使用者に対し手前下がりに傾斜する傾斜面に形成されている。すなわち、この骨伝導面５ａは、時計ガラス６側が高く、腕時計ケース１の外周側が低くなる傾斜面に形成されている。
【００２９】
また、集音部４は、図３に示すように、腕時計ケース１を腕Ａに装着して使用者の顔Ｂの下側に配置させたときに、骨伝導伝達部５よりも使用者から離れた個所に位置し、且つこの状態で、図１および図２に示すように、骨伝導伝達部５の骨伝導面５ａと同じ向きで傾斜する傾斜面に形成されている。すなわち、この集音面４ａは、時計ガラス６側が低く、腕時計ケース１の外周側が高くなる傾斜面に形成されている。
【００３０】
このような腕時計型通信装置によれば、モジュール３の表示パネル１２に選択的に表示された時刻情報や電話情報などの各種情報を時計ガラス６を通して腕時計ケース１の外部から見ることができるので、腕時計ケース１を時計バンド２によって腕Ａに取り付けることにより、通常の腕時計として使用することができるほか、図３に示すように、腕時計ケース１の外周部に設けられた骨伝導伝達部５に使用者の顎Ｃを接触させることにより、通話相手の音声を骨伝導伝達部５で音声振動に変換し、この音声振動が顎Ｃの骨を介して耳に伝達されるので、この音声振動によって通話相手の音声を聞くことができると共に、使用者の音声を集音部４で集音して通話相手に伝えることができ、これにより携帯電話機として使用することができる。
【００３１】
すなわち、この腕時計型通信装置では、時計バンド２によって腕Ａに取り付けられる腕時計ケース１の外周部に集音部４を、その集音面４ａを腕時計ケース１の上面側に向けて設けると共に、腕時計ケース１の外周部における集音部４の対角線上に位置する個所に、骨伝導により音声振動を伝達する骨伝導伝達部５を、その骨伝導面５ａを腕時計ケース１の上面側に向けて設けたので、腕時計ケース１を腕Ａに取り付けて通話するときに、通常の腕時計と同様に腕Ａを曲げることにより、骨伝導伝達部５の骨伝導面５ａに使用者の顎Ｃを接触させることができ、これにより通話相手の音声を骨伝導伝達部５によって音声振動として顎Ｃの骨を介して耳に伝えることができると共に、使用者の口元Ｄを集音部４に近づけて使用者の音声を集音部４で集音することができる。
【００３２】
このため、この腕時計型通信装置では、先行文献のように接続コードに接続されたスピーカを引き出して耳に差し込む必要がないので、通話作業が容易にできると共に、部品点数が少なく、構造も簡単で、装置全体の小型化をも図ることができるほか、特に通話相手の音声を骨伝導伝達部５によって音声振動として顎Ｃの骨を介して耳に伝えるので、骨伝導伝達部５による音声振動の伝達ロスが少なく、通話相手の音声を良好に使用者の耳に伝えることができる。また、通話時には、腕Ａの状態が通常の腕時計を見るときとほぼ同じ状態になり、この状態で骨伝導伝達部５の骨伝導面５ａに使用者の顎Ｃを接触させれば良いので、自然な形で通話することができる。しかも、通話時には使用者の口元Ｄを集音部４に近づけることができるので、高感度の集音部４を用いなくても、使用者の音声を良好に集音部４で集音することができる。
【００３３】
この場合、骨伝導伝達部５は、腕時計ケース１を腕Ａに装着して使用者の顔Ｂの下側に配置させたときに、集音部４よりも使用者の手前側に位置する個所、つまり腕時計ケース１の外周部におけるほぼ５時に対応する個所に設けられているので、腕時計ケース１を左側の腕Ａに装着することにより、通常の腕時計を見るときと同様、自然な形で腕Ａを曲げるだけで、骨伝導伝達部５の骨伝導面５ａを使用者の顎Ｃに容易に対応させて接触させることができる。このときには、骨伝導伝達部５の骨伝導面５ａが使用者に対し手前下がりに傾斜する傾斜面に形成されていることにより、骨伝導伝達部５の骨伝導面５ａに使用者の顎Ｃを接触させ易くすることができ、このため、より一層、通話時における腕Ａの状態が自然な形で、使用者の顎Ｃを骨伝導伝達部５の骨伝導面５ａに確実に接触させることができ、これにより良好に通話することができる。
【００３４】
また、集音部４は、腕時計ケース１の外周部における骨伝導伝達部５の対角線上に位置する個所、つまり腕時計ケース１の外周部におけるほぼ１１時に対応する個所に設けられているので、腕時計ケース１を左側の腕Ａに装着して骨伝導伝達部５の骨伝導面５ａに使用者の顎Ｃを接触させたときに、使用者の口元Ｄに集音部４の集音面４ａを向けることができる。特に、この集音部４は、その集音面４ａが骨伝導伝達部５の骨伝導面５ａと同じ向きで傾斜する傾斜面に形成されていることにより、通話時に使用者の口元Ｄを集音部４に近づけて使用者の音声を集音部４で確実に集音することができ、これによっても通話時における腕Ａの状態が自然な形で通話することができるので、より一層、使い勝手の良いものを得ることができる。
【００３５】
なお、上記実施形態１では、腕時計ケース１の外周部におけるほぼ５時に対応する個所に骨伝導伝達部５を設け、腕時計ケース１の外周部におけるほぼ１１時に対応する個所に集音部４を設け、この腕時計ケース１を左側の腕Ａに装着して使用する場合について述べたが、これに限らず、例えば、骨伝導伝達部５を腕時計ケース１の外周部におけるほぼ７時に対応する個所に設け、集音部４を腕時計ケース１の外周部におけるほぼ１時に対応する個所に設け、この腕時計ケース１を右側の腕Ａに装着して使用するように構成しても良い。また、これらに限らず、骨伝導伝達部５を腕時計ケース１の外周部におけるほぼ６時側の個所に設け、集音部４を腕時計ケース１の外周部におけるほぼ１２時側の個所に設けた構造でも良い。このようにすれば、左右のいずれの腕Ａに腕時計ケース１を装着しても、良好に使用することができる。
【００３６】
（実施形態２）
次に、図４および図５を参照して、この発明の腕時計型通信装置の実施形態２について説明する。なお、図１〜図３に示された実施形態１と同一部分には同一符号を付して説明する。
この腕時計型通信装置は、時計バンド２に骨伝導伝達部２０を設け、この骨伝導伝達部２０に対向する腕時計ケース１の外周部に集音部２１を設けた構造で、これ以外は実施形態１とほぼ同じ構造になっている。
【００３７】
すなわち、骨伝導伝達部２０は、腕時計ケース１の６時側に位置する時計バンド２にその骨伝導面２０ａを上面側に向けて設けられていると共に、腕時計ケース１内のモジュール３と電気的に接続され、この状態で通話相手からの音声信号がモジュール３から与えられると、その音声信号に基づいて音声振動を発生し、この音声振動が骨伝導によって伝わるように構成されている。また、集音部２１は、腕時計ケース１の外周部における１２時側に、その集音面２１ａを上面側に向けて設けられていると共に、腕時計ケース１内のモジュール３と電気的に接続され、この状態で集音面２１ａから使用者の音声を取り込み、この取り込んだ音声を電気信号に変化してモジュール３に音声信号として出力するように構成されている。
【００３８】
このような腕時計型通信装置においても、モジュール３の表示パネル１２に選択的に表示された時刻情報や電話情報などの各種情報を時計ガラス６を通して腕時計ケース１の外部から見ることができるので、腕時計ケース１を時計バンド２によって腕Ａに取り付けることにより、通常の腕時計として使用することができるほか、図５に示すように、時計バンド２に設けられた骨伝導伝達部５に使用者の顎Ｃを接触させることにより、通話相手の音声を骨伝導伝達部２０で音声振動に変換し、この音声振動が顎Ｃの骨を介して耳に伝達されるので、この音声振動によって通話相手の音声を聞くことができると共に、使用者の音声を集音部２１で集音して通話相手に伝えることができ、これにより携帯電話機として使用することができる。
【００３９】
すなわち、この腕時計型通信装置では、腕時計ケース１を腕Ａに取り付けるめの時計バンド２に、骨伝導により音声振動を伝達する骨伝導伝達部２０を、その骨伝導面２０を時計バンド２の上面側に向けて設けると共に、この骨伝導伝達部２０と対向する腕時計ケース１の外周部に集音部２１を、その集音面２１ａを腕時計ケース１の上面側に向けて設けたので、腕時計ケース１を腕Ａに取り付けて通話するときに、通常の腕時計を見るときと同様に腕Ａを曲げることにより、骨伝導伝達部２０の骨伝導面２０ａに使用者の顎Ｃを接触させることができる。これにより、通話相手の音声を骨伝導伝達部２０によって音声振動として顎Ｃの骨を介して耳に伝えることができると共に、使用者の音声を良好に集音部２１で集音することができる。
【００４０】
このため、この腕時計型通信装置においても、先行文献のように接続コードに接続されたスピーカを引き出して耳に差し込む必要がないので、通話作業が容易にできると共に、部品点数が少なく、構造も簡単で、装置全体の小型化をも図ることができるほか、特に通話時における腕Ａの状態が通常の腕時計を見るときとほぼ同じ状態になり、この状態で骨伝導伝達部２０の骨伝導面２０ａに使用者の顎Ｃを接触させれば良いので、自然な形で通話することができる。
【００４１】
この場合、腕時計ケース１を腕Ａに装着して使用者の顔Ｂの下側に配置させたときに、骨伝導伝達部２０が腕時計ケース１よりも手前側に位置する個所、つまり腕時計ケース１の６時側の時計バンド２に設けられ、集音部２１が骨伝導伝達部２０と反対側に位置する腕時計ケース１の外周部、つまり腕時計ケース１の１２時側の外周部に設けられているので、腕時計ケース１を左右どちらの腕Ａに装着しても、骨伝導伝達部２０の骨伝導面２０ａに使用者の顎Ｃを接触させたときに、その使用者の口元Ｄに集音部２１の集音面２１ａを向けることができる。
【００４２】
このため、使用者の口元Ｄを集音部２１に近づけることができるので、より一層、使用者の音声を集音部２１で確実に集音することができると共に、通話時における腕Ａの状態が自然な形で通話することができる。特に、この場合には、集音部２１が腕時計ケース１に設けられ、骨伝導伝達部２０が時計バンド２に設けられていることにより、骨伝導伝達部２０を腕時計ケース１から分離させて集音部２１から離すことができるので、集音部２１に対する骨伝導伝達部２０の振動ノイズを軽減することができ、このため高感度の集音部２１を用いなくても、使用者の音声を良好に集音部２１で集音することができる。
【００４３】
また、この腕時計型通信装置では、必ずしも腕Ａに腕時計ケース１を装着して使用する必要はなく、腕時計ケース１を手に持って使用することもできる。すなわち、このときにも、時計バンド２の骨伝導伝達部２０に使用者の顎Ｃを接触させると、使用者の口元Ｄが集音部２１の集音面２１ａに向くので、腕Ａに装着して使用するときと同様、良好に通話することができ、これによっても使い勝手の良いものを得ることができる。
【００４４】
なお、上記実施形態１、２およびその変形例では、腕時計ケース１内に収納されるモジュール３が時計機能と通信機能との両方を備えた構成になっている場合について述べたが、必ずしも時計機能と通信機能との両方を備えたモジュール３である必要はなく、モジュールは少なくと通信機能を備えた構造のもであれば良い。
【図面の簡単な説明】
【００４５】
【図１】この発明の携帯型通信装置を示した斜視図である。（実施形態１）
【図２】図１の携帯型通信装置を分解した斜視図である。
【図３】図１の携帯型通信装置の使用状態を示した斜視図である。
【図４】この発明の携帯型通信装置を示した斜視図である。（実施形態２）
【図５】図４の携帯型通信装置の使用状態を示した斜視図である。
【符号の説明】
【００４６】
１  腕時計ケース
２  時計バンド
３  モジュール
４、２１  集音部
４ａ、２１ａ  集音面
５、２０  骨伝導伝達部
５ａ、２０ａ  骨伝導面
１１  ハウジング
１２  表示パネル
１４  マイク収納部
１５  マイクデバイス
１６  骨伝導収納部
１７  骨伝導デバイス
Ａ  腕
Ｂ  顔
Ｃ  顎
Ｄ  口元
【図１】
2005142729.tif 000003
【図２】
2005142729.tif 000004
【図３】
2005142729.tif 000005
【図４】
2005142729.tif 000006
【図５】
2005142729.tif 000007